(57)【要約】      （修正有）【課題】保管空間が選択的に分離区画可能な構造で構成される携帯用クーラーの提供。【解決手段】携帯用クーラーは、上面が開放されたボックス状で保管空間を形成するケース１０と、ケースの開放された上面を開閉する蓋１２と、ケース内に強制はめ込み方式によって離脱可能に装着されて、配置方向または位置によってケースの保管空間を可変可能な複数個のサブ空間に区画したり、一つに統合したりするパーティション部材２０を含む。パーティション部材の配置構造を異にしてケースの保管空間を多様に区画したり、一つに統合したりして使用できるために、釣り等の野外レジャー活動に非常に効果的に活用される。【選択図】図４Ａ
0003131425.tif 000002
【実用新案登録請求の範囲】
【請求項１】
上面が開放されたボックス状で保管空間を形成するケースと；
前記ケースの開放された上面を開閉する蓋と；
前記ケース内に強制はめ込み方式によって離脱可能に装着されて、配置方向または位置によって前記ケースの保管空間を可変可能な複数個のサブ空間に区画したり、一つに統合したりするパーティション部材を含む携帯用クーラー。
【請求項２】
前記パーティション部材は、前記ケース内で保管空間を横切って遮断するパネル状の隔壁部と、
前記隔壁部の下端で直角に折曲形成されたパネル状であって、前記ケースの内部底面と密着される底部と、
前記隔壁部の左右両先端で相互に同一な方向に折曲形成されて、その下端が前記底部に連結されたパネル状であって、前記ケースの内部側面と密着される左右側壁部を含むことを特徴とする請求項１に記載の携帯用クーラー。
【請求項３】
前記パーティション部材の底部及び側壁部の端は、外方に行くほどその内側面が削られて徐々に薄くなる形態で構成されることを特徴とする請求項２に記載の携帯用クーラー。
【考案の詳細な説明】
【技術分野】
【０００１】
本考案は、携帯用クーラーに係り、より詳しくは、保管空間が選択的に分離区画可能な構造で構成されることによって、釣りのような用途での使用上の便宜性及び活用性が増大された携帯用クーラーに関する。
【背景技術】
【０００２】
一般の携帯用クーラーは、釣りのような野外レジャー活動の時に、果物やカン飲料等の食料品を冷蔵保管することによって食料品の新鮮度を長期間維持するために使用されている。
【０００３】
携帯用クーラーは、図１に示したように、保管空間を形成するボックス状のケース１０と、ケース１０の開放された上面を開閉する蓋１２を含んで構成されており、ケース１０及び蓋１２は、比較的重さの軽い断熱素材で構成される。
【０００４】
このような携帯用クーラーは、大方の場合、氷等を食料品と一緒にケース１０に保管することによって形成された冷気を、外部と遮断してクーリング効果を得る方式で使用される。
【０００５】
一方、携帯用クーラーを釣り用として使用する場合は、食料品の保管のみならず、釣った魚を新鮮な状態に保管する用途としても活用されるが、魚Ｆと食料品Ｇを一緒に保管する場合は、魚Ｆから誘発される生臭や取れた鱗等の副産物が食料品Ｇと混ざって食料品Ｇの清潔度が大変低下される問題を誘発する。
【０００６】
さらに、魚Ｆと食料品Ｇを一緒に保管した状態でクーラーを移動すると、移動の際に発生する搖れにより魚Ｆと食料品Ｇが相互に絡んだりぶつかったりして食料品Ｇの清潔度が低下されるのは勿論、魚Ｆが破損されそのままの形で維持できない問題も誘発する。
【０００７】
このような問題を勘案して物品を区分して保管できるようにケース１０の保管空間が区画された形態のクーラーも案出された。
【０００８】
これは、図２Ａ、図２Ｂに示したように、ケース１０の保管空間が網１４または隔壁パネル１６によって区画された構造であって、一側の空間に食料品Ｇを保管して、他側の空間に魚Ｆを保管する形で使用され食料品Ｇと魚Ｆが混ざらないようにする。
【０００９】
しかし、このような従来技術で、網１４によってケース１０の保管空間が区画されたクーラーの場合は、魚Ｆと食料品Ｇが直接混じることは防げるが、魚Ｆの生臭や魚を釣った時にはみ出る内臓等の副産物が食料品Ｇに染み込むことは防げない問題がある。
【００１０】
また、隔壁パネル１６によってケース１０の保管空間が区画されたクーラーの場合は、隔壁パネル１６がケース１０の内部に形成された装着ホーム１０ａに挟まれる等の方式で設置され保管空間を区画するが、隔壁パネル１６を備えた構造上、食料品Ｇと魚Ｆが混ざったり生臭等が食料品Ｇに染み込んだりすることがある程度は防げるが、隔壁パネル１６がケース１０内の特定位置に固定されるために、保管空間が画一的に区画され保管できる物品の大きさが大変制限される問題がある。
【考案の開示】
【考案が解決しようとする課題】
【００１１】
本考案は、前述したような従来の問題を解決するために案出されており、必要によってケースの保管空間を可変可能な複数個のサブ空間に区画して使用したり、一つに統合して使用したりすることによって使用の便宜性及び活用性が増大される携帯用クーラーの提供を目的とする。
【課題を解決するための手段】
【００１２】
前述したような目的を達成するために提供される携帯用クーラーは、上面が開放されたボックス状で保管空間を形成するケースと；前記ケースの開放された上面を開閉する蓋と；前記ケース内に強制はめ込み方式によって離脱可能に 装着されて、配置方向または位置によって前記ケースの保管空間を可変可能な複数個のサブ空間に区画したり、一つに統合したりするパーティション部材を含んで構成される。
【００１３】
前記パーティション部材は、前記ケース内で保管空間を横切って遮断するパネル状の隔壁部と、前記隔壁部の下端で直角に折曲形成されたパネル状であって、前記ケースの内部底面と密着される底部と、前記隔壁部の左右両先端で相互に同一な方向に折曲形成されて、その下端が前記底部に連結されたパネル状であって、前記ケースの内部側面と密着される左右側壁部を含んで構成される。
【００１４】
前記パーティション部材の底部及び側壁部の端は、外方に行くほどその内側面が削られて徐々に薄くなる形態で構成される。
【００１５】
本実施例による携帯用クーラーは、ケース内に装着されたパーティション部材を引出す作動を容易にする引出し手段を含んで構成される。
【００１６】
前記引出し手段は、前記パーティション部材の隔壁部或いは両側壁部に備えたストラップで構成されたり、また、前記引出し手段は、前記パーティション部材の隔壁部或いは両側壁部に備えられて、内側方向に突出された突起で構成されたりする。
【００１７】
以下、本考案の実施例を、添付された図３から図６Ｂまでを参照にして詳しく説明する。
【考案の効果】
【００１８】
本考案の携帯用クーラーによると、パーティション部材の配置構造を異にしてケースの保管空間を多様に区画したり、一つに統合したりして使用できるために、釣り等の野外レジャー活動に非常に効果的に活用される長所がある。
【実施例】
【００１９】
本考案の実施例による携帯用クーラーは、図３に示したように、上面が開放されたボックス状で保管空間を形成するケース１０と、ケース１０の開放された上面を覆う蓋１２と、ケース１０内に強制はめ込み方式によって離脱可能に装着されるパーティション部材２０を含んで構成される。
【００２０】
パーティション部材２０は、パネル状の隔壁部２０１と、隔壁部２０１の下端で直角に折曲形成されたパネル状の底部２０２と、隔壁部２０１の左右両先端で相互に同一な方向に折曲形成されて、底部２０２に連結されたパネル状の左右側壁部２０３とで構成される。
【００２１】
パーティション部材２０がケース１０に装着された状態で、隔壁部２０１は、ケース１０の保管空間を横切って、底部２０２は、ケース１０の内部底面１０１と一定の幅以上の接触面を形成して密着され、左右側壁部２０３は、ケース１０の内部側面１０２と一定の幅以上の接触面を形成して密着される。
【００２２】
ここで、パーティション部材２０の底部２０２及び側壁部２０３の端側は、外側に行くほどその内側面が削られて徐々に薄くなる、所謂スリムエッジ(slim edge)状で構成されるのが望ましい(図５Ａ、図５Ｂ参照)。
【００２３】
前述したように構成された本実施例による携帯用クーラーは、パーティション部材２０の配置方向または位置によって、ケース１０の保管空間が複数個のサブ空間に区画される所謂、区画モードと、ケース１０の保管空間が一つに統合される統合モードとに区分され使用されるが、次のように、各モード別の使用方式に関して説明する。
【００２４】
区画モードは、図４Ａに示したように、隔壁部２０１がケース１０の保管空間の中間に位置されるようにパーティション部材２０が配置されており、これによると、隔壁部２０１を基準にケース１０の保管空間が左右に区画されるため、隔壁部２０１によって形成された二つのサブ空間を分離して使用できるようになる。
【００２５】
パーティション部材２０がケース１０に装着された状態では、底部２０２と両側壁部２０３がケース１０の内部底面１０１と内部側面１０２に各々一定の幅以上の接触面を形成して、強制はめ込み方式の特性上、相互に強く密着されるために、両サブ空間は、その間に気密が維持され相互に遮断される。
【００２６】
従って、区画モードは、一側空間に果物やカン飲料等の食料品Ｇを保管して、他側空間に釣った魚Ｆを保管する場合、魚Ｆが保管された空間から食料品Ｇが保管された空間に魚Ｆの生臭やその外の副産物が染み込まないので、食料品Ｇを清潔に保管することができる。
【００２７】
また、本実施例によると、パーティション部材２０をケース１０の特定位置に固定しなくてもいいので、区画モードは、パーティション部材２０の位置を異にすることによって、区画される両サブ空間の大きさを多様に可変して形成することができる。
【００２８】
すなわち、パーティション部材２０の隔壁部２０１がケース１０の中間に位置されると(図５Ａの点線表示)、ケース１０の保管空間が同一な大きさに両分されて、一側に偏ると、両空間の大きさが相互に異に構成されるために、保管される物品の種類や量によって多様な活用が可能になる。
【００２９】
統合モードは、図４Ｂに示したように、隔壁部２０１がケース１０の内部側面１０２'と密着されるようにパーティション部材２０が配置されており、これによると、ケース１０の保管空間が一つに統合されるので、大きい魚や食料品等を保管する用途として使用される。
【００３０】
そして、本実施例によると、パーティション部材２０がケース１０に離脱可能に装着されるため、場合によっては、パーティション部材２０をケース１０から取り出して、ケース１０のみを使用することによって保管空間の活用を極大化することもできる。
【００３１】
また、本実施例において、パーティション部材２０の底部２０２及び側壁部２０３の端側が、前述したように、その内側面が削られて徐々に薄くなるスリムエッジ状で構成されるために、図５Ａ、図５Ｂに示したように、パーティション部材２０がケース１０に装着された状態で、パーティション部材２０の底部２０２及び側壁部２０３がケース１０の内部底面１０１及び内部側面１０２に対して成す境界が緩やかに傾いた形態になる。
【００３２】
従って、釣った魚を生きている状態で保管する場合、魚が動いてパーティション部材２０の底部２０２及び側壁部２０３の先端にぶつかることによっての毀損を防ぐ。
【００３３】
そして、本実施例によると、パーティション部材２０の構成において、隔壁部２０１に対して底部２０２が直角に折曲され形成された特性上、底部２０２が隔壁部２０１を安定的に支える役割をして、両側壁部２０３が隔壁部２０１の両側端で直角に折曲され形成された特性上、側壁部２０３が隔壁部２０１を補強する役割をするために、パーティション部材の構造的な強度が高いのみならず、装着された状態がより安定的に維持される。
【００３４】
本実施例による携帯用クーラーは、ケース１０内に装着されたパーティション部材２０を引出す作動を容易にする引出し手段であって、図６Ａに示したように、パーティション部材２０の両側壁部２０３に備えたストラップ２２や、図６Ｂに示したように、両側壁部２０３に備えて、内側方向に突出された形態の突起２４を含んで構成される。
【００３５】
引出し手段を構成するストラップ２２や突起２４は、必要によって側壁部２０３のみならず隔壁部２０１にも構成されることができる。
【００３６】
引出し手段によると、ストラップ２２を掴んで上方に持ち上げたり、突起２４に指をかけて持ち上げる等の方式でケース１０に装着されたパーティション部材２０をより容易に引出すことができる。
【００３７】
図面には示してないが、引出し手段として突起の代りにパーティション部材の側壁部や隔壁部の内側面に一定の深さの溝を構成することもできる。この場合も突起のように、溝に指をかけて持ち上げる方式でケースに装着されたパーティション部材を引出す。
【図面の簡単な説明】
【００３８】
【図１】従来技術による携帯用クーラーを示した斜視図である。
【図２Ａ】従来技術による区画型のクーラーを示した斜視図である。
【図２Ｂ】従来技術による区画型のクーラーを示した斜視図である。
【図３】本考案の実施例による携帯用クーラーを示した斜視図である。
【図４Ａ】本考案の実施例による携帯用クーラーの各モード別の使用状態図である。
【図４Ｂ】本考案の実施例による携帯用クーラーの各モード別の使用状態図である。
【図５Ａ】本考案の実施例でモード別にパーティション部材とケースの結合構造を示した横断面図である。
【図５Ｂ】本考案の実施例でモード別にパーティション部材とケースの結合構造を示した横断面図である。
【図６Ａ】本考案の実施例で  引出し手段を備えた形態を示した斜視図である。
【図６Ｂ】本考案の実施例で  引出し手段を備えた形態を示した斜視図である。
【符号の説明】
【００３９】
１０：ケース                       １０１：内部底面
１０２：内部側面                   ２０：パーティション部材 
２０１：隔壁部                    
２０２：底部
２０３：側壁部                    
２２： ストラップ
２４：突起
【図１】
0003131425.tif 000003
【図２Ａ】
0003131425.tif 000004
【図２Ｂ】
0003131425.tif 000005
【図３】
0003131425.tif 000006
【図４Ａ】
0003131425.tif 000007
【図４Ｂ】
0003131425.tif 000008
【図５Ａ】
0003131425.tif 000009
【図５Ｂ】
0003131425.tif 000010
【図６Ａ】
0003131425.tif 000011
【図６Ｂ】
0003131425.tif 000012